(57)【要約】【課題】空調機器と外部の端末装置との間のネットワークのトラヒックを削減する。【解決手段】空調システムは、サーバ及びネットワークを介して接続される空調機器及び端末装置を有する。空調機器は、空気質を検知する検知部と、所定時刻毎に検知部により検知された空気質の情報を所定時間分だけまとめた空気質情報群データを作成するデータ作成部と、データ作成部により作成された空気質情報群データをサーバを介して端末装置へ送信する通信部とを有する。端末装置は、表示部と、空調機器から送られる空気質情報群データを受信する通信部と、空気質情報群データを取得して記憶するデータ取得部と、画面遷移の要求を受け付ける受付部を表示部に表示する第１画面と、データ取得部が取得した空気質情報群データを表示部に表示する第２画面とを有する。【選択図】図１
2019068238.tif 000002
【特許請求の範囲】
【請求項１】
サーバ及びネットワークを介して接続される空調機器及び端末装置を有する空調システムであって、
前記空調機器は、
空気質を検知する検知部と、
所定時刻毎に前記検知部により検知された空気質の情報を所定時間の分だけまとめた空気質情報群データを作成するデータ作成部と、
前記データ作成部により作成された空気質情報群データを前記サーバを介して前記端末装置へ送信する通信部と
を有し、
前記端末装置は、
表示部と、
前記空調機器から送られる前記空気質情報群データを受信する通信部と、
前記空気質情報群データを取得して記憶するデータ取得部と、
画面遷移の要求を受け付ける受付部を前記表示部に表示する第１画面と、前記データ取得部が取得した前記空気質情報群データを前記表示部に表示する第２画面と
を有する
ことを特徴とする空調システム。
【請求項２】
前記空調機器は、
前記空気質情報群データを記憶する記憶部
をさらに有し、
前記データ作成部は、前記所定時刻毎に前記検知部により検知された空気質の情報で、前記記憶部に記憶される前記空気質情報群データのうちの該当所定時刻の空気質の情報を更新する
ことを特徴とする請求項１に記載の空調システム。
【請求項３】
前記データ取得部は、前記受付部により前記画面遷移の要求が受け付けられた場合に、前記空調機器から前記空気質情報群データを取得すると共に、
前記表示部は、前記データ取得部により前記空調機器から取得された前記空気質情報群データを、前記第１画面から画面遷移した前記第２画面に表示する
ことを特徴とする請求項１又は２に記載の空調システム。
【請求項４】
前記検知部は、前記空気質として塵埃量を検知し、
前記第２画面は、前記空気質情報群データとして少なくとも塵埃量を表示するとともに、前記所定時刻における前記空調機器の稼働状態を表示する
ことを特徴とする請求項１〜３のいずれか１項に記載の空調システム。
【請求項５】
前記第２画面は、前記検知部により検知された前記空調機器による空調対象の屋内の塵埃量と屋外の塵埃量をさらに表示する
ことを特徴とする請求項４に記載の空調システム。
【請求項６】
サーバ及びネットワークを介して端末装置と接続される空調機器であって、
空気質を検知する検知部と、
所定時刻毎に前記検知部により検知された空気質の情報をまとめた空気質情報群データを作成するデータ作成部と、
前記データ作成部により作成された空気質情報群データを前記サーバを介して前記端末装置へ送信する通信部と
を有することを特徴とする空調機器。
【請求項７】
サーバ及びネットワークを介して接続される空調機器及び端末装置を有する空調システムにおける通信方法であって、
前記空調機器が、
空気質を検知する検知工程と、
所定時刻毎に前記検知工程により検知された空気質の情報を所定時間の分だけまとめた空気質情報群データを作成するデータ作成工程と、
前記データ作成工程により作成された空気質情報群データを前記サーバを介して前記端末装置へ送信する通信工程と
を含み、
前記端末装置が、
前記空調機器から前記空気質情報群データを取得するデータ取得工程と、
画面遷移の要求を受け付ける受付部を表示する第１画面と、前記データ取得工程により前記空調機器から取得された前記空気質情報群データを表示する第２画面とを備える表示工程と
を含んだ
ことを特徴とする通信方法。
【請求項８】
サーバ及びネットワークを介して空調機器と接続される端末装置を、
所定時刻毎に前記空調機器により検知された空気質の情報が前記空調機器により所定時間の分だけまとめて作成された空気質情報群データを受信する通信部と、
前記空気質情報群データを前記空調機器から取得して記憶するデータ取得部と、
画面遷移の要求を受け付ける受付部を表示する第１画面と、前記データ取得部により前記空調機器から取得された前記空気質情報群データを表示する第２画面とを備える表示部
として機能させ、
前記データ取得部は、前記受付部により前記画面遷移の要求が受け付けられた場合に、前記空調機器から前記空気質情報群データを取得し、
前記表示部は、前記受付部により前記画面遷移の要求が受け付けられた場合に前記データ取得部により前記空調機器から取得された前記空気質情報群データを、前記第１画面から画面遷移した前記第２画面に表示する
ように機能させるためのデータ取得表示プログラム。
【発明の詳細な説明】
【技術分野】
【０００１】
本発明は、空調システム、空調機器、通信方法及びデータ取得表示プログラムに関する。
【背景技術】
【０００２】
近年、ネットワークを介して外部の端末装置からエアーコンディショナー等の電気機器を遠隔操作するシステムがある（例えば特許文献１参照）。また、エアーコンディショナーや空気清浄機等の空調機器が、センサにより空調対象の屋内の空気質（例えば室温、湿度、塵埃含量等）を検知し、ネットワークを介して、検知した空気質の情報を外部の端末装置へ送信して表示させるシステムがある（例えば特許文献２参照）。
【０００３】
また、温度管理装置を有する空気調和機やファンヒータ等の空調機器において、検知した空調対象の屋内の温度を時系列表示し、表示した温度をもとに空調機器を操作できる技術がある（例えば特許文献３参照）。なお、空調機器と端末装置との通信方式として、パケット通信を用いる技術がある（例えば特許文献４参照）。
【先行技術文献】
【特許文献】
【０００４】
【特許文献１】特開２００４−２８９５０５号公報
【特許文献２】特開２０１６−０９０１９４号公報
【特許文献３】特開２００２−３５１５５３号公報
【特許文献４】特開平０４−０４００９７号公報
【発明の概要】
【発明が解決しようとする課題】
【０００５】
しかしながら、上述の従来技術では、空調機器と外部の端末装置との間の通信において、空気質の情報は、所定のタイミングに従って定期的に送信されるものである。従って、外部の端末装置からの空気質の情報の要求頻度に比べて空調機器における空気質の情報の更新頻度が少ない場合に、更新されていない空気質の情報が繰り返し外部の端末装置へ送信されることになる。よって、無駄なデータ通信となって、空調機器と外部の端末装置との間のネットワークのトラヒックを増大させてしまうという問題がある。
【０００６】
本発明は、上記に鑑みてなされたものであって、例えば、空調機器と外部の端末装置との間のネットワークのトラヒックを低減させる空調システム、空調機器、通信方法及びデータ取得表示プログラムを提供することを目的とする。
【課題を解決するための手段】
【０００７】
上述の課題を解決するため、本発明の実施形態の一例は、サーバ及びネットワークを介して接続される空調機器及び端末装置を有する空調システムであって、前記空調機器は、空気質を検知する検知部と、所定時刻毎に前記検知部により検知された空気質の情報を所定時間の分だけまとめた空気質情報群データを作成するデータ作成部と、前記データ作成部により作成された空気質情報群データを前記サーバを介して前記端末装置へ送信する通信部とを有し、前記端末装置は、表示部と、前記空調機器から送られる前記空気質情報群データを受信する通信部と、前記空気質情報群データを取得して記憶するデータ取得部と、画面遷移の要求を受け付ける受付部を前記表示部に表示する第１画面と、前記データ取得部が取得した前記空気質情報群データを前記表示部に表示する第２画面とを有する。
【発明の効果】
【０００８】
本発明の実施形態の一例によれば、空調機器と外部の端末装置との間のネットワークのトラヒックを低減できる。
【図面の簡単な説明】
【０００９】
【図１】図１は、実施形態に係る空調システムの構成の一例を示す図である。
【図２】図２は、実施形態に係る空気質情報群のデータ構造の一例を示す図である。
【図３】図３は、実施形態に係る空気質情報取得アダプタが空気質情報を更新する更新タイミングの一例を示す図である。
【図４】図４は、実施形態に係る空調システムにおける処理の一例を示すシーケンス図である。
【図５】図５は、実施形態に係る空気質情報の取得及び更新処理の一例を示すシーケンス図である。
【図６】図６は、実施形態に係るスマートフォンにおける表示画面及び表示画面の画面遷移の一例を示す図である。
【図７】図７は、実施形態に係るスマートフォンにおける表示画面の他の一例を示す図である。
【図８】図８は、実施形態に係るスマートフォンにおける表示画面の他の一例を示す図である。
【図９】図９は、実施形態に係るスマートフォンにおける表示画面の他の一例を示す図である。
【図１０】図１０は、実施形態に係る空気質情報群データ取得表示プログラムが実行される端末装置を示す図である。
【発明を実施するための形態】
【００１０】
以下に、本願の開示技術に係る空調システム、空調機器、通信方法及びデータ取得表示プログラムの実施形態及び変形例を図面に基づいて詳細に説明する。なお、以下の実施形態及び変形例により開示技術が限定されるものではない。以下の実施形態及び変形例で示す空調システム、空調機器、通信方法及びデータ取得表示プログラムは、空気清浄機を制御するシステム及び端末に適用する場合を説明するが、これに限られず、冷房機、暖房機、除湿器を含む電気機器一般に広く適用できる。以下の実施形態及び変形例は、矛盾しない範囲で適宜組合せて実施できる。
【００１１】
また、以下の実施形態及び変形例は、開示技術に係る構成及び処理について主に説明し、その他の構成及び処理の説明を、適宜、簡略又は省略する。また、以下の実施形態及び変形例において、同一の構成及び処理には同一の符号を付与し、既出の構成及び処理の説明を省略する。
【００１２】
［実施形態］
図１は、実施形態に係る空調システムの構成の一例を示す図である。実施形態に係る空調システム１は、空調機器として空気清浄機１０を例とした場合を示す。空調システム１は、ルータ３０、ネットワーク２、サーバ４０を介して接続された空気清浄機１０及びスマートフォン５０を有する。ネットワーク２は、インターネット等の公衆回線網である。スマートフォン５０は、通信機能を有する端末装置の一例であり、タブレット端末、可搬型パーソナルコンピュータ等、通信機能を有する端末であればいずれであってもよい。
【００１３】
なお、図１では、空気清浄機１０とスマートフォン５０とは１対１の対応関係を例示すが、これに限られず、空気清浄機１０とスマートフォン５０とは１対多、多対１の対応関係であってもよいし、多対多の対応関係であってもよい。
【００１４】
（空気清浄機の構成）
空気清浄機１０は、制御部１１、空気清浄部１２、室温検知部１３、湿度検知部１４、塵埃検知部１５、空気質情報取得アダプタ１６を有する。制御部１１は、空気清浄機１０全体の制御を行うマイクロコンピュータ等の処理装置である。空気清浄部１２は、空調対象の屋内に設置され、この屋内の空気清浄を行う。
【００１５】
室温検知部１３は、空気清浄機１０が設置された空調対象の屋内の室温を検知する、例えば温度センサである。湿度検知部１４は、空気清浄機１０が設置された空調対象の屋内の湿度を検知する、例えば湿度センサである。塵埃検知部１５は、空気清浄機１０が設置された空調対象の屋内の塵埃（例えばＰＭ（Particulate  Matter）２．５（微小粒子状物質））の量又は濃度（塵埃情報）を検知する、例えば埃センサである。
【００１６】
なお、図１では、空気清浄機１０は、室温検知部１３、湿度検知部１４、塵埃検知部１５の３種のセンサを有する場合を例示するが、これらのセンサに限られず、空気質を表す屋内の空気中のガスや化学物質の成分量を検知するその他のセンサを有してもよい。
【００１７】
空気質情報取得アダプタ１６は、１つのユニットとして空気清浄機１０に取り付けられ、制御部１１と通信を行う。空気質情報取得アダプタ１６は、制御部１７、データ作成部１８、データ記憶部１９、通信部２０を有する。制御部１７は、空気質情報取得アダプタ１６全体の制御を行うマイクロコンピュータ等の処理装置である。データ記憶部１９は、後述の空気質情報群データ１９ａ及び後述の更新タイミング設定ファイル１９ｂを格納する。
【００１８】
データ作成部１８は、室温検知部１３により検知された空調対象の屋内の室温、湿度検知部１４により検知された空調対象の屋内の湿度、塵埃検知部１５により検知された空調対象の屋内の塵埃情報、制御部１１により通知された空気清浄機１０の運転ＯＮ／ＯＦＦの情報を定期的に取得する。そして、データ作成部１８は、取得したこれらの情報から、後述の更新タイミング設定ファイル１９ｂに規定される「更新タイミング」で、空気質情報群データ１９ａを生成又は更新する。
【００１９】
（空気質情報群のデータ構造）
図２は、実施形態に係る空気質情報群のデータ構造の一例を示す図である。以下では、空気質情報群データ１９ａは、塵埃情報をＰＭ２．５の濃度（μｇ／ｍ３）とした例を示す。
【００２０】
空気質情報群データ１９ａは、「取得時刻」毎の「室温」「湿度」「ＰＭ２．５」「運転ＯＮ／ＯＦＦ状態」を、「取得時刻」が例えばＵＴＣ（Universal  Time  Coordinated）１２：００ＡＭ〜ＵＴＣ１１：００ＰＭの１日分のデータを１つにまとめたデータである。なお、「ＰＭ２．５」は、ＰＭ２．５の濃度である。
【００２１】
図２に示すように、空気質情報群データ１９ａは、空気質情報１９ａ−１、空気質情報１９ａ−２、・・・、空気質情報１９ａ−２４を有する。空気質情報１９ａ−１は、「取得時刻（ＵＴＣ１２：００ＡＭ）」「室温（ＵＴＣ１２：００ＡＭ）」「湿度（ＵＴＣ１２：００ＡＭ）」「ＰＭ２．５（ＵＴＣ１２：００ＡＭ）」「運転ＯＮ／ＯＦＦ状態（ＵＴＣ１２：００ＡＭ）」を含む。同様に、空気質情報１９ａ−２は、「取得時刻（ＵＴＣ１：００ＡＭ）」「室温（ＵＴＣ１：００ＡＭ）」「湿度（ＵＴＣ１：００ＡＭ）」「ＰＭ２．５（ＵＴＣ１：００ＡＭ）」「運転ＯＮ／ＯＦＦ状態（ＵＴＣ１：００ＡＭ）」を含む。同様に、空気質情報１９ａ−２４は、「取得時刻（ＵＴＣ１１：００ＰＭ）」「室温（ＵＴＣ１１：００ＰＭ）」「湿度（ＵＴＣ１：００ＰＭ）」「ＰＭ２．５（ＵＴＣ１１：００ＰＭ）」「運転ＯＮ／ＯＦＦ状態（ＵＴＣ１１：００ＰＭ）」を含む。
【００２２】
すなわち、空気質情報群データ１９ａは、ＵＴＣ１２：００ＡＭ〜ＵＴＣ１１：００ＰＭの１時間おきの「取得時刻」「室温」「湿度」「ＰＭ２．５」「運転ＯＮ／ＯＦＦ状態」のうち、最新の２４時間分の空気質情報１９ａ−１〜１９ａ−２４を１つにまとめたデータである。なお、図２では空気質情報群データ１９ａとして空気質情報の名称だけが記載されているが、これは便宜的なものであって、実際は各検知部（室温検知部１３〜塵埃検知部１５）から取得された数値が入力される。
【００２３】
そして、空気質情報群データ１９ａは、室温検知部１３から取得された「室温」、湿度検知部１４から取得された「湿度」、塵埃検知部１５から取得された「ＰＭ２．５」、制御部１１から取得された空気清浄機１０の「運転ＯＮ／ＯＦＦ状態」の情報のうちの空気質情報群データ１９ａにおける「更新タイミング」で取得した情報で、該当の「取得時刻」に対応するいずれかの空気質情報１９ａ−１〜１９ａ−２４が更新される。
【００２４】
なお、図２は、空気質情報群データ１９ａが有するデータ項目の一例を示すに過ぎず、その他のデータ項目、例えば風量の設定等を含んでもよい。
【００２５】
「更新タイミング」は、図３に示す更新タイミング設定ファイル１９ｂに規定されている。図３は、実施形態に係る空気質情報取得アダプタが空気質情報を更新する更新タイミングの一例を示す図である。更新タイミング設定ファイル１９ｂにおける規定内容は、適宜設定変更可能である。
【００２６】
データ作成部１８は、更新タイミング設定ファイル１９ｂに規定されている「更新タイミング」“ＵＴＣ１２：００ＡＭ，・・・，ＵＴＣ１１：００ＰＭ”、「備考」“１時間おき”の情報をもとに、空気質情報群データ１９ａにおいて更新タイミングに該当する「取得時刻」に対応する「室温」「湿度」「ＰＭ２．５」「運転ＯＮ／ＯＦＦ状態」を更新する。
【００２７】
例えば、データ作成部１８は、“ＵＴＣ１：００ＡＭ”に、室温検知部１３により検知された「室温」、湿度検知部１４により検知された「湿度」、塵埃検知部１５により検知された「ＰＭ２．５」、制御部１１により通知された「運転ＯＮ／ＯＦＦ状態」を取得したとする。このとき、データ作成部１８は、空気質情報群データ１９ａにおいて「取得時刻」“ＵＴＣ１：００ＡＭ”に対応する「室温」「湿度」「ＰＭ２．５」「運転ＯＮ／ＯＦＦ状態」を更新する。
【００２８】
通信部２０は、Ｗｉ−Ｆｉ（登録商標）等の無線通信により、ネットワーク２、サーバ４０、ルータ３０を介したスマートフォン５０との通信を制御する通信インターフェースである。
【００２９】
ルータ３０は、空気質情報取得アダプタ１６がネットワーク２及びサーバ４０を介してスマートフォン５０と通信を行う際の通信を中継するものであり、空気質情報取得アダプタ１６に対してネットワーク２へのゲートウェイ装置となる。ルータ３０は、ＷＡＮ（Wide  Area  Network）側であるネットワーク２とは有線通信を行い、ＬＡＮ（Local  Area  Network）側である空気質情報取得アダプタ１６とは無線通信を行う。しかし、これに限られず、ルータ３０は、ネットワーク２のゲートウェイ装置と無線通信を行うものであってもよく、空気質情報取得アダプタ１６と有線通信を行うものであってもよい。
【００３０】
サーバ４０は、空気質情報取得アダプタ１６とスマートフォン５０との通信を仲介する、空気清浄機１０及びスマートフォン５０のユーザとは独立した、接続仲介サービスを提供する第三者が設置及び管理する接続仲介サーバである。サーバ４０は、例えば、空気質情報取得アダプタ１６とスマートフォン５０との通信に関してトンネンネリングを行ってセキュアな伝送路を確保し、帯域確保や接続認証等を行う。
【００３１】
なお、サーバ４０は、空気質情報取得アダプタ１６とスマートフォン５０との通信を仲介する際に、データの送受信回数及び通信データ量に応じて空気清浄機１０及びスマートフォン５０のユーザに対して課金を行う運用を採用する場合がある。この場合には、データの送受信回数及び通信データ量を削減することで、課金額が低減されることになる。
【００３２】
（スマートフォンの構成）
スマートフォン５０は、ネットワーク２を介して空気清浄機１０を遠隔操作し、空気清浄機１０から空気質情報群データ１９ａを受信して表示するためのユーザの端末装置である。スマートフォン５０は、制御部５１、データ取得部５２、表示制御部５３、表示部５４、通信部５５を有する。表示部５４は、タッチパネルを備えた液晶パネルディプレイ等である。なお、スマートフォン５０が有する空気清浄機１０を遠隔操作するための構成、通話やデータ通信その他を行うための構成については、図示及び説明を省略する。
【００３３】
制御部５１は、スマートフォン５０全体の制御を行う処理装置である。データ取得部５２は、表示部５４に表示されるＧＵＩ（Graphical  User  Interface）を介してユーザにより入力された、空気質情報群データ１９ａのデータのうちの例えばＰＭ２．５の２４時間推移を表示するためのデータの取得要求に応じて、通信部５５及びサーバ４０を介して、空気質情報取得アダプタ１６へ、該当データの要求を送信する。そして、データ取得部５２は、通信部５５及びサーバ４０を介して、空気質情報取得アダプタ１６から、送信した要求に対応するデータを受信する。
【００３４】
そして、表示制御部５３は、空気質情報取得アダプタ１６からデータ取得部５２により取得されたＰＭ２．５の２４時間推移を表示するためのデータをもとに、ＰＭ２．５の２４時間推移を示すグラフを生成し、表示部５４へ表示させる。
【００３５】
通信部５５は、ネットワーク２のゲートウェイ装置（図示せず）との間で無線通信を行う。通信部５５がネットワーク２のゲートウェイ装置との間で行う無線通信は、携帯無線通信、Ｗｉ−Ｆｉ（登録商標）、近距離無線通信（例えばBluetooth（登録商標））等の方式による。なお、図１では、通信部５５が無線通信を行う場合のネットワーク２のゲートウェイ装置は、通信部５５が、携帯無線通信である場合には基地局であり、Ｗｉ−Ｆｉ（登録商標）やBluetooth（登録商標）である場合にはアクセスポイントである。
【００３６】
（空調システムにおける処理）
図４は、実施形態に係る空調システムにおける処理の一例を示すシーケンス図である。図４に示すように、ステップＳ１０では、空気質情報取得アダプタ１６は、空気清浄機１０本体に対して、定期的（例えば３００ミリｓｅｃ毎）に空気質情報（「室温」「湿度」「ＰＭ２．５」「運転ＯＮ／ＯＦＦ状態」）の取得要求を送信する。それに対して、空気清浄機１０は、各検知部（室温検知部１３〜塵埃検知部１５）で検知した「室温」「湿度」「ＰＭ２．５」「運転ＯＮ／ＯＦＦ状態」を、取得要求に応じて空気質情報取得アダプタ１６へ送信する。そして、空気質情報取得アダプタ１６は、空気清浄機１０本体から、空気質情報（「室温」「湿度」「ＰＭ２．５」「運転ＯＮ／ＯＦＦ状態」）を受信する。なお、空気清浄機１０と空気質情報取得アダプタ１６との間の空気質情報の取得要求や空気質情報の受信は、例えば空気清浄機１０の電源がＯＮしている間は絶えず定期的に行われる。空気質情報を取得した空気質情報取得アダプタ１６は、例えばデータ記憶部１９に記憶した受信済みの空気質情報と今回取得した空気質情報とを比較して、空気質情報の内容に変化があれば、データ記憶部１９の空気質情報を更新（上書き）する。なお、空気質情報の変化の有無に関わらず、今回取得した空気質情報でデータ記憶部１９の空気質情報を更新（上書き）してもよい。空気質情報取得アダプタ１６及び空気清浄機１０は、これら取得要求の送信及び空気質情報の受信を、常時繰り返すことにより、空気質情報取得アダプタ１６のデータ記憶部１９に現在の空気質情報を記憶する（以上、ステップＳ１０）。
【００３７】
ステップＳ２０では、空気質情報取得アダプタ１６は、ステップＳ１０を繰り返す中で、空気質情報群データ１９ａのうち、更新タイミング設定ファイル１９ｂに規定されている「更新タイミング」で、空気質情報群データ１９ａにおいて該当する「取得時刻」に対応する空気質情報（「室温」「湿度」「ＰＭ２．５」「運転ＯＮ／ＯＦＦ状態」）を更新する。
【００３８】
例えば、図４に示すように、空気質情報取得アダプタ１６は、「更新タイミング」“ＵＴＣ１２：００ＡＭ”である場合に、空気質情報群データ１９ａのうち「取得時刻（ＵＴＣ１２：００ＡＭ）」に対応する空気質情報１９ａ−１を更新する。また、空気質情報取得アダプタ１６は、「更新タイミング」“ＵＴＣ１：００ＡＭ”である場合に、空気質情報群データ１９ａのうち「取得時刻（ＵＴＣ１：００ＡＭ）」に対応する空気質情報１９ａ−２を更新する。空気質情報取得アダプタ１６は、空気質情報群データ１９ａのうち各「取得時刻」に対応する空気質情報の更新を、「更新タイミング」毎に繰り返す（以上、ステップＳ２０）。
【００３９】
次に、ステップＳ３１〜Ｓ３６を含むステップＳ３０の処理について説明する。ステップＳ３１では、スマートフォン５０は、制御部５１の制御により、ユーザによる操作に応じて実施形態に係るアプリケーションを起動する。例えばアプリケーションを起動したスマートフォン５０は、表示部５４に第１画面としてアプリケーションのホーム画面を表示する動作を実行する。アプリケーションは、スマートフォン５０の制御部５１により、例えばスマートフォン５０の図示しないデータ記憶部に記憶される空気質情報群データ取得表示プログラムが実行されることにより、後述するように、表示部５４に最新の空気質情報（「室温」「湿度」「ＰＭ２．５」「運転ＯＮ／ＯＦＦ状態」）を含むホーム画面を表示する。ここで、最新の空気質情報とは、ステップＳ３１でアプリケーションのホーム画面を開く動作が実行された際の現在時刻における空気質情報取得アダプタ１６のデータ記憶部１９に記憶されている空気質情報（「取得時刻」「室温」「湿度」「ＰＭ２．５」「運転ＯＮ／ＯＦＦ状態」）である。
【００４０】
ステップＳ３２では、スマートフォン５０は、通信部５５を制御して、ネットワーク２を介してサーバ４０へ、最新の空気質情報の取得要求を送信する。続いて、ステップＳ３３では、サーバ４０は、ステップＳ３２に引き続き、スマートフォン５０からの最新の空気質情報の取得要求を空気質情報取得アダプタ１６へ送信する。
【００４１】
続いて、ステップＳ３４では、空気質情報取得アダプタ１６は、通信部２０を制御して、ネットワーク２を介して、現在の空気質情報（ステップＳ１０で更新した空気質情報）をデータ記憶部１９から読み出して、サーバ４０へ送信する。続いて、ステップＳ３５では、サーバ４０は、ステップＳ３４に引き続き、空気質情報取得アダプタ１６からの現在の空気質情報を、スマートフォン５０へ送信する。
【００４２】
続いて、ステップＳ３６では、スマートフォン５０は、制御部５１の制御により、後述するように、表示部５４に、ステップＳ３５で取得した最新の空気質情報を含むアプリケーションのホーム画面を表示する。スマートフォン５０は、以上のステップＳ３０の処理を、アプリケーションを起動させる都度、実行する。
【００４３】
次に、ステップＳ４１〜Ｓ４６を含むステップＳ４０の処理について説明する。ステップＳ４１では、スマートフォン５０は、制御部５１の制御により、ユーザによる操作に応じてアプリケーションの第１画面から第２画面へ画面推移して表示部５４に表示する動作を実行する。例えば、スマートフォン５０は、制御部５１の制御により、ユーザによる操作に応じてアプリケーションのホーム画面からＰＭ２．５の２４時間推移表示画面へ画面遷移して表示部５４に表示する動作を実行する。アプリケーションは、スマートフォン５０の制御部５１により空気質情報群データ取得表示プログラムが実行されることにより、表示部５４に最新の空気質情報を含むホーム画面を表示するとともに、遷移後の画面においてＰＭ２．５の２４時間推移（空気質情報のうちの２４時間分の「ＰＭ２．５」）を表示するものである。
【００４４】
ステップＳ４２では、スマートフォン５０は、通信部５５を制御して、ネットワーク２を介してサーバ４０へ、ＰＭ２．５の２４時間推移の更新要求を送信する。続いて、ステップＳ４３では、サーバ４０は、ステップＳ４２に引き続き、スマートフォン５０からのＰＭ２．５の２４時間推移の更新要求を空気質情報取得アダプタ１６へ送信する。
【００４５】
続いて、ステップＳ４４では、空気質情報取得アダプタ１６は、通信部２０を制御して、ネットワーク２を介して、２４時間分の「取得時刻」及び対応する「ＰＭ２．５」をデータ記憶部１９から読み出して、サーバ４０へ送信する。続いて、ステップＳ４５では、サーバ４０は、ステップＳ４４に引き続き、空気質情報取得アダプタ１６からの２４時間分の「取得時刻」及び「ＰＭ２．５」をスマートフォン５０へ送信する。
【００４６】
続いて、ステップＳ４６では、スマートフォン５０の制御部５１及び表示制御部５３が、後述するように、ステップＳ４５で取得した２４時間分の「取得時刻」及び「ＰＭ２．５」をグラフ化して表示部５４に表示する。
【００４７】
（空気質情報の取得及び更新処理）
図５は、実施形態に係る空気質情報の取得及び更新処理の一例を示すシーケンス図である。図５に示す空気質情報の取得及び更新処理は、図４に示すステップＳ１０及びステップＳ２０の処理を詳細に示したものである。図５に示すステップＳ１０−１１〜Ｓ１０−２４は、図４に示すステップＳ１０を詳細化したものである。また、図５に示すステップＳ２０−１〜Ｓ２０−２は、図４に示すステップＳ２０を詳細化したものである。
【００４８】
例えば、ステップＳ１０−１１では、空気質情報取得アダプタ１６は、空気清浄機１０本体に対して、「室温」「湿度」「ＰＭ２．５」「運転ＯＮ／ＯＦＦ状態」の取得要求を送信する。それに対して、ステップＳ１０−１２では、空気清浄機１０は、取得した「室温」「湿度」「ＰＭ２．５」「運転ＯＮ／ＯＦＦ状態」を、空気質情報取得アダプタ１６へ送信する。そして、空気質情報取得アダプタ１６は、空気清浄機１０本体から「室温」「湿度」「ＰＭ２．５」「運転ＯＮ／ＯＦＦ状態」の情報を受信する。この受信タイミングが、空気質情報群データ１９ａの「更新タイミング」“ＵＴＣ１２：００ＡＭ（５／１８）”であるため、空気質情報取得アダプタ１６は、空気質情報群データ１９ａの「取得時刻」“ＵＴＣ１２：００ＡＭ”に対応する空気質情報（「室温」「湿度」「ＰＭ２．５」「運転ＯＮ／ＯＦＦ状態」）を、空気清浄機１０本体から受信した「室温」「湿度」「ＰＭ２．５」「運転ＯＮ／ＯＦＦ状態」の情報で更新する。その後、ステップＳ１０−１３及びステップＳ１０−１４では、空気質情報取得アダプタ１６及び空気清浄機１０は、ステップＳ１０−１１及びステップＳ１０−１２と同様の処理を実行する。
【００４９】
また、例えば、ステップＳ１０−２１では、空気質情報取得アダプタ１６は、空気清浄機１０本体に対して、「室温」「湿度」「ＰＭ２．５」「運転ＯＮ／ＯＦＦ状態」の取得要求を送信する。それに対して、ステップＳ１０−２２では、空気清浄機１０は、取得した「室温」「湿度」「ＰＭ２．５」「運転ＯＮ／ＯＦＦ状態」を、空気質情報取得アダプタ１６へ送信する。そして、空気質情報取得アダプタ１６は、空気清浄機１０本体から「室温」「湿度」「ＰＭ２．５」「運転ＯＮ／ＯＦＦ状態」の情報を受信する。この受信タイミングが、空気質情報群データ１９ａの「更新タイミング」“ＵＴＣ１：００ＡＭ（５／１８）”であるため、空気質情報取得アダプタ１６は、空気質情報群データ１９ａの「取得時刻」“ＵＴＣ１：００ＡＭ”に対応する空気質情報（「室温」「湿度」「ＰＭ２．５」「運転ＯＮ／ＯＦＦ状態」）を、空気清浄機１０本体から受信した「室温」「湿度」「ＰＭ２．５」「運転ＯＮ／ＯＦＦ状態」の情報で更新する。その後、ステップＳ１０−２３及びステップＳ１０−２４では、空気質情報取得アダプタ１６及び空気清浄機１０は、ステップＳ１０−２１及びステップＳ１０−２２と同様の処理を実行する。
【００５０】
（スマートフォンにおける表示画面及び表示画面の画面遷移）
図６は、実施形態に係るスマートフォンにおける表示画面及び表示画面の画面遷移の一例を示す図である。図６の（ａ）は、図４に示すステップＳ３０の処理のうちのステップＳ３１〜Ｓ３６が実行され、スマートフォン５０の表示部５４に表示された実施形態に係るアプリケーションのホーム画面５４ａを示す。
【００５１】
ホーム画面５４ａの画面中央には、「ＰＭ２．５」“３０”、「室温」“２０℃”、「湿度」“５０％”を含む空気質情報表示５４ａ１が表示されている。このホーム画面５４ａには、画面起動時に空気質情報取得アダプタ１６から取得された最新の「ＰＭ２．５」「室温」「湿度」を含む空気質情報が表示される。また、表示部５４にホーム画面５４ａが示されている間は、空気質情報取得アダプタ１６は、例えば空気質情報に変化がある毎に、ネットワーク２を介して最新の空気質情報をスマートフォン５０側へ送信し続ける。空気質情報取得アダプタ１６は、上述の通り、空気清浄機１０本体から空気質情報（「室温」「湿度」「ＰＭ２．５」「運転ＯＮ／ＯＦＦ状態」）を定期的に受信している。このため、表示部５４にホーム画面５４ａが示されている間は、ホーム画面５４ａには最新の「ＰＭ２．５」「室温」「湿度」を含む空気質情報が常に表示される。なお、空気質情報取得アダプタ１６は、アプリケーションが起動されたことをトリガーとしてスマートフォン５０に空気質情報の送信を開始する。空気質情報取得アダプタ１６は、空気質情報の送信が開始されてから所定時間（例えば３０ｓｅｃ）が経過すると、アプリケーションが起動中かどうかをスマートフォン５０に確認する。この時アプリケーションが起動中であれば、空気質情報取得アダプタ１６は空気質情報の更新を継続する。一方、アプリケーションが起動していなければ、空気質情報取得アダプタ１６は、空気質情報の更新を終了する。なお、スマートフォン５０からアプリケーションが起動中である信号を受信して、空気質情報取得アダプタ１６がスマートフォン５０に対して空気質情報の更新を継続する場合には、例えば、空気質情報の更新間隔を広げて、空気質情報取得アダプタ１６とスマートフォン５０との間のネットワークのトラヒックを減らすようにしてもよい。なお、ホーム画面５４ａにおいて表示されている最新の「ＰＭ２．５」の濃度は、所定基準値未満の“３０”と良好な数値であるので、“ＰＭ２．５  ＧＯＯＤ”が併せて表示されている。また、ホーム画面５４ａには、画面左上に、ＰＭ２．５の２４時間推移のグラフ表示アイコン５４ａ２が表示されている。
【００５２】
そして、ホーム画面５４ａにおいて、グラフ表示アイコン５４ａ２が押下されると、ホーム画面５４ａから、図６（ｂ）に示すようなＰＭ２．５の２４時間推移のグラフ表示画面５４ａ−１へと画面遷移する。この際、スマートフォン５０は、空気質情報取得アダプタ１６から、空気質情報群データ１９ａのうちのＰＭ２．５の２４時間推移のグラフ表示のためのデータを取得する。
【００５３】
ただし、図６（ｂ）に示すＰＭ２．５の２４時間推移のグラフ表示画面５４ａ−１では、スマートフォン５０が、空気質情報取得アダプタ１６から、ＰＭ２．５の２４時間推移のグラフ表示のためのデータを全て受信していない更新途中状態であるので、グラフ表示画面５４ａ−１の中央に２点鎖線で示すようにスピナー表示されている。
【００５４】
そして、図６（ｃ）に示すＰＭ２．５の２４時間推移のグラフ表示画面５４ａ−１では、スマートフォン５０が、空気質情報取得アダプタ１６から、ＰＭ２．５の２４時間推移のグラフ表示のためのデータ全てを受信し、ＰＭ２．５の２４時間推移のグラフが表示される。
【００５５】
なお、図６（ｂ）及び図６（ｃ）において、グラフ表示画面５４ａ−１には、画面左上に、戻るアイコン５４ａ３が表示されている。戻るアイコン５４ａ３が押下されると、図６（ｂ）及び図６（ｃ）のグラフ表示画面５４ａ−１から、図６（ａ）に示すホーム画面５４ａへ画面遷移する。
【００５６】
図６（ｂ）及び図６（ｃ）において、グラフ表示画面５４ａ−１の横軸は、空気質情報取得アダプタ１６から取得した最新の「ＰＭ２．５」の各「取得時刻」（ＵＴＣベース）を、スマートフォン５０が現在使用されている現地時刻へ変換した時刻を示す。また、グラフ表示画面５４ａ−１の横軸における太線部分５４ａ４は、各「取得時刻」において空気清浄機１０の運転ＯＮ状態である時間帯を示し、太線部分５４ａ４以外は、各「取得時刻」において空気清浄機１０の運転ＯＦＦ状態であることを示す。
【００５７】
なお、例えば、各「取得時刻」における空気清浄機１０の「運転ＯＮ／ＯＦＦ状態」を以って、当該「取得時刻」の前後３０分の合計１時間の時間帯における空気清浄機１０の「運転ＯＮ／ＯＦＦ状態」と見なす。図６（ｂ）及び図６（ｃ）においては、グラフ表示画面５４ａ−１の横軸における“２／２３  ０：００〜２／２４  ０：００”の２４時間は、全て太線部分５４ａ４となっており、この２４時間において空気清浄機１０は“運転ＯＮ状態”であったことが分かる。
【００５８】
そして、図６（ｂ）及び図６（ｃ）において、破線５４ａ５は、“２／２３  ０：００〜２／２４  ０：００”の２４時間における、空気清浄機１０による空調対象の屋内の「ＰＭ２．５」の推移を示す。また、太線５４ａ６は、“２／２３  ０：００〜２／２４  ０：００”の２４時間における、空気清浄機１０による空調対象の屋内の位置周辺の屋外の「ＰＭ２．５」の推移を示す。空気清浄機１０による空調対象の屋内の位置周辺の屋外の「ＰＭ２．５」の推移は、例えば、スマートフォン５０が通信部５５を介して取得した第三者機関から公表される情報をもとに、スマートフォン５０の制御部５１及び表示制御部５３により表示部５４に表示される情報である。
【００５９】
このように、スマートフォン５０の表示部５４に、屋内及び屋外の「ＰＭ２．５」の推移を、空気清浄機１０の「運転ＯＮ／ＯＦＦ状態」と対応付けて対比表示させることで、ユーザに、空気清浄機１０の“運転ＯＮ”による空気清浄効果を、視覚的かつ直感的に把握させることができる。
【００６０】
（スマートフォンにおける表示画面の他の例）
図７〜図９は、実施形態に係るスマートフォンにおける表示画面の他の一例を示す図である。図７〜図９は、図６（ｃ）に示すグラフ表示画面５４ａ−１の他の表示例を示す。図７において示す“２／２３  ０：００〜２／２４  ０：００”の２４時間における空気清浄機１０による空調対象の屋内の位置周辺の屋外の「ＰＭ２．５」の推移を示す太線５４ａ６の態様は、図６（ｃ）と同様である。しかし、図７において示す“２／２３  ０：００〜２／２４  ０：００”の２４時間における空気清浄機１０による空調対象の屋内の「ＰＭ２．５」の推移を示す破線５４ａ５の態様は、図６（ｃ）と異なる。
【００６１】
図６（ｃ）と図７における破線５４ａ５の態様の違いは、グラフ表示画面５４ａ−１の横軸における“２／２３  ０：００〜２／２３  ８：００”の８時間と“２／２３  １８：００〜２／２４  ０：００”の６時間において太線部分５４ａ４となっており、これらの時間において空気清浄機１０は“運転ＯＮ状態”であり、屋内の「ＰＭ２．５」が低減されていたためである。他方、図７において、グラフ表示画面５４ａ−１の横軸における“２／２３  ６：００〜２／２３  １８：００”の１２時間において空気清浄機１０は“運転ＯＦＦ状態”であり、屋内の「ＰＭ２．５」が低減されなかったためである。
【００６２】
図８も図７と同様であり、図６（ｃ）と図８における破線５４ａ５の態様の違いは、グラフ表示画面５４ａ−１の横軸における“２／２３  ８：００〜２／２４  ０：００”の１６時間において太線部分５４ａ４となっており、この時間において空気清浄機１０は“運転ＯＮ状態”であり、屋内の「ＰＭ２．５」が低減されていたためである。他方、図８において、グラフ表示画面５４ａ−１の横軸における“２／２３  ０：００〜２／２３  ６：００”の６時間において空気清浄機１０は“運転ＯＦＦ状態”であり、屋内の「ＰＭ２．５」が低減されなかったためである。
【００６３】
図９も図７と同様であり、図６（ｃ）と図９における破線５４ａ５の態様の違いは、グラフ表示画面５４ａ−１の横軸における“２／２３  ０：００〜２／２３  ６：００”の６時間と“２／２３  １２：００〜２／２３  １８：００”の６時間において太線部分５４ａ４となっており、これらの時間において空気清浄機１０は“運転ＯＮ状態”であり、屋内の「ＰＭ２．５」が低減されていたためである。他方、図９において、グラフ表示画面５４ａ−１の横軸における“２／２３  ６：００〜２／２３  １２：００”の６時間と、“２／２３  １８：００〜２／２４  ０：００”の６時間において空気清浄機１０は“運転ＯＦＦ状態”であり、屋内の「ＰＭ２．５」が低減されなかったためである。
【００６４】
以上の実施形態では、空気質情報取得アダプタ１６が空気質情報１９ａ−１〜１９ａ−２４を空気質情報群データ１９ａへまとめてネットワーク２及びサーバ４０を介してスマートフォン５０へ送信する。よって、実施形態によれば、ネットワーク２及びサーバ４０におけるトラヒックを削減できる。また、実施形態によれば、１時間おきに更新される空気質情報１９ａ−１〜１９ａ−２４として更新頻度を抑制したことで、スマートフォン５０からの空気質情報の更新要求頻度が高まらないようにでき、ネットワーク２及びサーバ４０におけるデータ通信量を抑制できる。
【００６５】
また、実施形態では、スマートフォン５０の表示部５４に表示させるデータを、現在の「室温」「湿度」「ＰＭ２．５」「運転ＯＮ／ＯＦＦ状態」（最新データ）と、ＰＭ２．５の２４時間推移（履歴データあるいは時系列データ）との２パターンに分ける。よって、実施形態によれば、ユーザが所望する最新データ又は履歴データのいずれか一方のみを更新させることで、ネットワーク２及びサーバ４０におけるトラヒックを抑制できる。
【００６６】
また、実施形態では、空気質情報取得アダプタ１６は、１時間おきの空気質情報群データ１９ａを更新して、最新の２４時間分の空気質情報１９ａ−１〜１９ａ−２４のみをデータ記憶部１９に格納する。また、実施形態では、ホーム画面５４ａにおいて、グラフ表示アイコン５４ａ２が押下されことで、スマートフォン５０は、空気質情報取得アダプタ１６から、空気質情報群データ１９ａのうちのＰＭ２．５の２４時間推移のグラフ表示のためのデータを取得する。よって、実施形態によれば、空気質情報取得アダプタ１６が取り扱うデータ量を抑制して、データ記憶部１９の容量削減とともに、空気質情報取得アダプタ１６の処理負荷の低減を図ることができる。また、実施形態によれば、ホーム画面５４ａ上にＰＭ２．５の２４時間推移のグラフ表示のためのグラフ表示アイコン５４ａ２を設けているため、ユーザがグラフ表示画面５４ａ−１上で不必要にデータ取得することを防止することができる。これにより、空気質情報群データ１９ａの「更新タイミング」が経過していない場合に、更新されていない空気質情報群データ１９ａを再取得するという無駄なデータ通信の発生を回避できる。
【００６７】
（空気質情報群データ取得表示プログラム）
図１０は、実施形態に係る空気質情報群データ取得表示プログラムが実行される端末装置を示す図である。実施形態に係るプログラムが実行される端末装置１００は、例えばスマートフォン５０を一例とするコンピュータである。端末装置１００は、ＳｏＣ（System  on  a  Chip）１０１、ストレージ１０２、ディスプレイ１０３、ＳｏＣ１０１に接続されたアンテナ１０４を有する。
【００６８】
ＳｏＣ１０１は、ＣＰＵ（Central  Processing  Unit）、ＧＰＵ（Graphics  Processing  Unit）、ＲＡＭ（Random  Access  Memory）、通信モジュール、ＤＳＰ（Digital  Signal  Processor）等を統合した統合モジュールである。ストレージ１０２は、ｅＭＭＣ（embedded  Multi  Media  Card）を一例とする記憶装置である。ディスプレイ１０３は、一例として、ＬＥＤ（Light  Emitting  Diode）やＯＬＥＤ（Organic  light  Emitting  diode）を光源とする液晶表示装置である。
【００６９】
端末装置１００を、制御部５１、データ取得部５２、表示制御部５３、表示部５４を有するスマートフォン５０として機能させる空気質情報群データ取得表示プログラムは、例えばストレージ１０２に格納されている。そして、ＳｏＣ１０１のＣＰＵは、ストレージ１０２に格納されている空気質情報群データ取得表示プログラムをＳｏＣ１０１のＲＡＭに読み出して実行する。
【００７０】
なお、端末装置１００に限らず、ＣＰＵ、ＧＰＵ、ＲＡＭ、外部記憶装置等のハードウェアを有する一般的なコンピュータであっても、端末装置１００と同様に、外部記憶装置に格納されている空気質情報群データ取得表示プログラムをＲＡＭに読み出して実行することで、スマートフォン５０と同様の機能を実現することができる。
【００７１】
［実施形態の変形例］
（１）空気質情報取得アダプタの提供形態について
実施形態では、空気質情報取得アダプタ１６は、１つのユニットとして空気清浄機１０に取り付けられるものとした。しかし、これに限られず、空気質情報取得アダプタ１６は、空気清浄機１０に内蔵される構成の一部として提供されてもよい。もしくは、空気質情報取得アダプタ１６は、空気清浄機１０とは別筐体で提供され、空気清浄機１０が有する通信部と有線通信又は無線通信を行うとしてもよい。
【００７２】
（２）空気質情報及び空気質情報群データについて
実施形態では、空気質情報群データ１９ａは、１時間毎の２４個の空気質情報１９ａ−１〜１９ａ−２４、すなわち２４時間分の空気質情報１９ａ−１〜１９ａ−２４のみを含むとした。そして、新たに検知及び取得された空気質情報は、空気質情報群データ１９ａにおいて該当取得時刻に対応する空気質情報を更新することで空気質情報群データ１９ａに格納されるとした。しかし、これに限られず、空気質情報取得アダプタ１６は、取得した１時間毎の空気質情報を全てデータ記憶部１９に格納し、スマートフォン５０からの要求に応じて空気質情報群データ１９ａをスマートフォン５０へ送信する際に、最新の２４時間分の空気質情報１９ａ−１〜１９ａ−２４をデータ記憶部１９から抽出して空気質情報群データ１９ａを生成するとしてもよい。
【００７３】
（３）スマートフォンにおける空気質情報群データの一時格納について
実施形態では、スマートフォン５０は、ホーム画面５４ａにおいて、グラフ表示アイコン５４ａ２が押下されると、空気質情報取得アダプタ１６から、空気質情報群データ１９ａのうちのＰＭ２．５の２４時間推移のグラフ表示のためのデータを取得するとした。しかし、空気質情報群データ１９ａが１時間おきに更新されるデータであることから、前回においてグラフ表示アイコン５４ａ２が押下されてから空気質情報群データ１９ａの「更新タイミング」が経過していない場合には、空気質情報取得アダプタ１６から取得されるデータには変化がない。このため、上述したように、ホーム画面５４ａ上にＰＭ２．５の２４時間推移のグラフ表示のためのグラフ表示アイコン５４ａ２を設けることで、ユーザがグラフ表示画面５４ａ−１上で不必要にデータ取得することを防止している。しかし、前回においてグラフ表示アイコン５４ａ２が押下されてから空気質情報群データ１９ａの「更新タイミング」が経過していない場合に、ホーム画面５４ａに戻ってグラフ表示アイコン５４ａ２が再び押下されると、空気質情報取得アダプタ１６から、更新されていない空気質情報群データ１９ａを再取得するという無駄なデータ通信が発生する。
【００７４】
そこで、スマートフォン５０は、空気質情報取得アダプタ１６から取得したＰＭ２．５の２４時間推移のグラフ表示のためのデータを記憶部（図示せず）に一時格納しておいてもよい。そして、スマートフォン５０は、前回においてグラフ表示アイコン５４ａ２が押下されてから空気質情報群データ１９ａの「更新タイミング」が経過していない場合にグラフ表示アイコン５４ａ２が再び押下されると、記憶部に格納してあるデータを読み出して、ＰＭ２．５の２４時間推移をグラフ表示するとしてもよい。このようにすることで、更新されていない空気質情報群データ１９ａを再取得するという無駄なデータ通信の発生を回避できる。
【００７５】
なお、スマートフォン５０は、前回においてグラフ表示アイコン５４ａ２が押下されてから空気質情報群データ１９ａの「更新タイミング」が経過した場合に、記憶部に格納してあるＰＭ２．５の２４時間推移のグラフ表示のためのデータを削除するとしてもよい。
【００７６】
上述の実施形態及び図示の具体的名称、処理、制御、各種のデータやパラメータを含む情報については、一例を示すに過ぎず、特記する場合を除いて適宜変更することができる。また、上述の実施形態における各部もしくは各装置の構成は、処理負荷や実装効率等から適宜分散又は統合されてもよい。また、上述の実施形態における各処理は、処理負荷や実装効率等から、処理順序を適宜入れ替えて実行されてもよい。
【００７７】
上述の実施形態のより広範な態様は、上述のように表しかつ記述した特定の詳細及び代表的な実施形態に限定されるものではない。従って、添付の特許請求の範囲及びその均等物によって定義される総括的な発明の概念又は範囲から逸脱することなく、様々な変更が可能である。
【符号の説明】
【００７８】
１  空調システム
２  ネットワーク
１０  空気清浄機
１１  制御部
１２  空気清浄部
１３  室温検知部
１４  湿度検知部
１５  塵埃検知部
１６  空気質情報取得アダプタ
１７  制御部
１８  データ作成部
１９  データ記憶部
１９ａ  空気質情報群データ
１９ａ−１〜１９ａ−２４  空気質情報
１９ｂ  更新タイミング設定ファイル
２０  通信部
３０  ルータ
４０  サーバ
５０  スマートフォン
５１  制御部
５２  データ取得部
５３  表示制御部
５４  表示部
５５  通信部
１００  端末装置
１０２  ストレージ
１０３  ディスプレイ
１０４  アンテナ
【図１】
2019068238.tif 000003
【図２】
2019068238.tif 000004
【図３】
2019068238.tif 000005
【図４】
2019068238.tif 000006
【図５】
2019068238.tif 000007
【図６】
2019068238.tif 000008
【図７】
2019068238.tif 000009
【図８】
2019068238.tif 000010
【図９】
2019068238.tif 000011
【図１０】
2019068238.tif 000012